(57)【要約】本発明は、暖房効率を極大化した真空らせん状のヒートパイプを用いたラジエーター暖房装置に関し、空気通孔１１が設けられた下部支え台１１０と、下部支え台１１０に相互密接した形態で立設される第１のヒートパイプ１２０Ａ及び第２のヒートパイプ１２０Ｂと、下部に外部空気の流入のためのブロワー４０が設けられた第１の放熱管１３０と、外側周囲の一側には、複数個の熱放出ノズル５０が形成された第２の放熱管１４０と、継ぎ手管１５０と、複数個の空気接触突起６０が設けられるとともに、一側に吐出孔６２が設けられた外形ケース１６０と、外形ケース１６０の上部に脱着可能に設けられる蓋１７０と、で構成される。
2016519754.tif 000002
【特許請求の範囲】
【請求項１】
ラジエーター暖房装置において、前記暖房装置１００は、
外部流入空気を誘導する空気通孔１１が設けられた下部支え台１１０と、
熱媒体が内蔵される中空のパイプとして、上下部が一直線状に位置し、その間はコイルばね状のらせん状熱交換部１０が一体で形成され、らせん状熱交換部の外側周囲に複数個の円形放熱板１２が密着して結合され、上端部には真空圧調節弁２０が設けられ、下端部にはヒーター発熱部３０が内蔵設置され、下部支え台１１０に、相互密接して立設される第１のヒートパイプ１２０Ａ及び第２のヒートパイプ１２０Ｂと、
第１のヒートパイプ１２０Ａのらせんの内側に放熱板１２から熱伝導されるように外側周囲が密着して設置され、下部に外部空気の流入のためのブロワー４０が設けられた第１の放熱管１３０と、
第２のヒートパイプ１２０Ｂのらせんの内側に放熱板１２から熱伝導されるように外側周囲が密着して設置され、外側周囲の一側には複数個の熱放出ノズル５０が形成された第２の放熱管１４０と、
前記第１の放熱管１３０及び第２の放熱管１４０の上部がＵ字状に連結され、第１の放熱管１３０から第２の放熱管１４０に暖める空気を移動させる継ぎ手管１５０と、
前記下部支え台１１０の上部に第１のヒートパイプ１２０Ａ、第２のヒートパイプ１２０Ｂを取り囲んで保護する形態で結合され、外側周囲には、放熱面積を広げるための三角断面の複数個の空気接触突起６０が形成されるとともに、一側に前記第２の放熱管１４０の熱放出ノズル５０から放出される熱を外部に放出させるための吐出孔６２が設けられた外形ケース１６０と、
前記外形ケース１６０の上部に脱着可能に設けられる蓋１７０と、で構成されることを特徴とする真空らせん状のヒートパイプを用いたラジエーター暖房装置。
【請求項２】
ラジエーター暖房装置において、前記暖房装置１００は、
熱媒体が内蔵される中空のパイプとして、上下部が一直線状に位置し、その間はコイルばね状のらせん状熱交換部１０が一体で形成され、らせん状熱交換部１０の外側周囲に複数個の円形放熱板１２が密着して結合され、上端部には真空圧調節弁２０が設けられ、下端部にはヒーター発熱部３０が内蔵設置されたヒートパイプ１２０Ｃと、
下部は密閉され、上部は開放され、外側周囲には、放熱面積を広げるための三角断面の複数個の空気接触突起６０が形成されるとともに、前記ヒートパイプ１２０Ｃの外側を取り囲む形態で、前後組み合わせられる前面ケース１６０Ａ及び後面ケース１６０Ｂと、
前記前面ケース１６０Ａ及び後面ケース１６０Ｂの上端部から脱着可能に設置され、その上部は、椅子用シートＳの下部に連設され、複数個の熱放出孔８０が形成された連結フランジ１８０と、で構成されることを特徴とする真空らせん状のヒートパイプを用いたラジエーター暖房装置。
【請求項３】
前記真空圧調節弁２０は、前記第１のヒートパイプ１２０Ａ、第２のヒートパイプ１２０Ｂの終端から一側が挿入される挿入部２１ａが形成されるとともに、前記挿入部２１ａ  と  ヒートパイプの  外側端部は溶接され、中央にばね定着溝２１ｂ及びばね定着溝の中央に通孔２１ｃが形成され、外側周囲に雄螺子部２１ｄが形成され、一側には、Ｏリング支持段２１ｅが突設された連結管体２１と、
前記連結管体２１の通孔２１ｃに一側が案内され、他側には、Ｏリング挿入溝２２ａ及びばね支持段２２ｂが外側周囲に形成され、一側中央には、雌螺子部２２ｃが形成されたピストン２２と、
前記ピストン２２のばね支持段２２ｂと連結管体２１のばね定着溝２１ｂに支持され、ピストン２２に弾性を与える圧縮ばね２３と、
前記連結管体２１の雄螺子部２１ｄに締め付けられる雌螺子部２４ａ及び雌螺子部の一側にＯリング挿入溝２４ｂが形成され、中央内側には、前記ピストン２２を支持するための傾斜孔２４ｃ及び傾斜孔から通孔２４ｄが形成され、ピストン２２を収容する固定キャップ２４と、
前記固定キャップ２４の通孔２４ｄを通じて、ピストン２２の雌螺子部２２ｃに締め付けられ、ヒートパイプの内部に形成した真空圧を調節するための螺子棒２５と、
前記螺子棒２５に締め付けられ、真空気密状態を維持するナット２６と、
前記固定キャップ２４及びピストン２２のＯリング挿入溝２２ａに案内設置されるＯリング２７と、で構成されることを特徴とする請求項１に記載の真空らせん状のヒートパイプを用いたラジエーター暖房装置。
【請求項４】
前記真空圧調節弁２０は、第１のヒートパイプ１２０Ａ、第２のヒートパイプ１２０Ｂの終端から一側が挿入される挿入部２１ｆが形成されるとともに、挿入部２１ｆからヒートパイプに  挿入された外側端部は溶接され、挿入部の反対側の外側周囲には雄螺子部２１ｇが形成され、中央には通孔２１ｈ及び通孔から拡張されて延長されるピストン収容孔２１ｉが形成され、ピストン収容孔２１ｉの一側にはＯリング案内溝２１ｊが形成され、外側周囲の長さ方向には、ヒートパイプ１２０の内部に形成させた真空圧を、前記通孔２１ｈを通じて調節するための真空圧排出管２１ｋが形成された連結管体２１’と、
前記連結管体２１’のピストン収容孔２１ｉに案内され、一側に通孔２１ｈを遮断するためのパッキング２２ｃが設けられ、パッキングが設けられた反対側には雄螺子部２２ｄが形成されたピストン２２’と、
前記連結管体２１’の一側おいて、ピストン２２’の雄螺子部２２ｄを貫通してピストン２２’を収容するカバー２８と、
前記カバー２８の外側周囲を通じて、連結管体２１’の雄螺子部２１ｇに締め付けられる固定キャップ２４’と、
前記ピストン２２の雄螺子部２２ｄの一側に結合され、ピストン収容孔２１ｉからピストン２２’を摺動調節するためのハンドル２９と、
前記連結管体２１’のＯリング案内溝２１ｊに挿入され、ピストン２２’の外側を気密するＯリング２７’と、で構成されることを特徴とする請求項１に記載の真空らせん状のヒートパイプを用いたラジエーター暖房装置。
【請求項５】
前記ヒーター発熱部３０は、第１のヒートパイプ１２０Ａ及び第２のヒートパイプ１２０Ｂの終端に棒状ヒーター３２の挿入のための同素材のヒーター挿入口３１が案内されて溶接設置され、前記ヒーター挿入口３１の端部側は、結束バンド３３で、挿入された棒状ヒーター３２を固定してなることを特徴とする請求項１に記載の真空らせん状のヒートパイプを用いたラジエーター暖房装置。
【請求項６】
前記真空圧調節弁２０は、ヒートパイプ１２０Ｃの終端から一側が挿入される挿入部２１ａが形成されるとともに、前記挿入部２１ａ  と  ヒートパイプの  外側端部は溶接され、中央にばね定着溝２１ｂ及びばね定着溝の中央に通孔２１ｃが形成され、外側周囲に雄螺子部２１ｄが形成され、一側には、Ｏリング支持段２１ｅが突設された連結管体２１と、
前記連結管体２１の通孔２１ｃに一側が案内され、他側には、Ｏリング挿入溝２２ａ及びばね支持段２２ｂが外側周囲に形成され、一側中央には、雌螺子部２２ｃが形成されたピストン２２と、
前記ピストン２２のばね支持段２２ｂと連結管体２１のばね定着溝２１ｂに支持され、ピストン２２に弾性を与える圧縮ばね２３と、
前記連結管体２１の雄螺子部２１ｄに締め付けられる雌螺子部２４ａ及び雌螺子部の一側にＯリング挿入溝２４ｂが形成され、中央内側には、前記ピストン２２を支持するための傾斜孔２４ｃ及び傾斜孔から通孔２４ｄが形成され、ピストン２２を収容する固定キャップ２４と、
前記固定キャップ２４の通孔２４ｄを通じて、ピストン２２の雌螺子部２２ｃに締め付けられ、ヒートパイプの内部に形成した真空圧を調節するための螺子棒２５と、
前記螺子棒２５に締め付けられ、真空気密状態を維持するナット２６と、
前記固定キャップ２４及びピストン２２のＯリング挿入溝２２ａに案内設置されるＯリング２７と、で構成されることを特徴とする請求項２に記載の真空らせん状のヒートパイプを用いたラジエーター暖房装置。
【請求項７】
前記真空圧調節弁２０は、ヒートパイプ１２０Ｃの終端から一側が挿入される挿入部２１ｆが形成されるとともに、挿入部２１ｆからヒートパイプに  挿入された外側端部は溶接され、挿入部の反対側の外側周囲には雄螺子部２１ｇが形成され、中央には通孔２１ｈ及び通孔から拡張されて延長されるピストン収容孔２１ｉが形成され、ピストン収容孔２１ｉの一側にはＯリング案内溝２１ｊが形成され、外側周囲の長さ方向には、ヒートパイプ１２０の内部に形成させた真空圧を、前記通孔２１ｈを通じて調節するための真空圧排出管２１ｋが形成された連結管体２１’と、
前記連結管体２１’のピストン収容孔２１ｉに案内され、一側に通孔２１ｈを遮断するためのパッキング２２ｃが設けられ、パッキングが設けられた反対側には雄螺子部２２ｄが形成されたピストン２２’と、
前記連結管体２１’の一側おいて、ピストン２２’の雄螺子部２２ｄを貫通してピストン２２’を収容するカバー２８と、
前記カバー２８の外側周囲を通じて、連結管体２１’の雄螺子部２１ｇに締め付けられる固定キャップ２４’と、
前記ピストン２２の雄螺子部２２ｄの一側に結合され、ピストン収容孔２１ｉからピストン２２’を摺動調節するためのハンドル２９と、
前記連結管体２１’のＯリング案内溝２１ｊに挿入され、ピストン２２’の外側を気密するＯリング２７’と、で構成されることを特徴とする請求項２に記載の真空らせん状のヒートパイプを用いたラジエーター暖房装置。
【発明の詳細な説明】
【技術分野】
【０００１】
本発明は、真空らせん状のヒートパイプを用いたラジエーター暖房装置に関し、より詳しくは、真空が維持されたヒートパイプから発散する熱をヒートパイプが設置される体積に比例して極大化させ、各室内暖房はもとより、人々が着席する地下鉄の椅子、家庭のソファ、自動車等に適用し、効率的な暖房効果を提供するとともに、ヒートパイプの真空状態を再調整し、半永久的に使用可能にした真空らせん状のヒートパイプを用いたラジエーター暖房装置に関する。
【背景技術】
【０００２】
一般に、ラジエーターは、スチームが発生するボイラーを稼動し、発生したスチームを管内で移動させ、外部に熱を発散可能にし、またはラジエーターの内部の媒体をスチームに変換可能にし、電気ヒーターを加熱し、熱を発散させるように用いる暖房装置である。
【０００３】
前者の場合、化石燃料を燃焼させ、スチームを発生させることにより、大気環境の汚染が発生し、使用不注意による火災の原因となり、しかも、燃料費の過多な費用がかかることを考えなければならない。
【０００４】
後者の電気ヒーター方式のラジエーターは、ヒーター加熱を用いて汚染源が発生しない代わりに、人体に有害な電磁波が過多に発生し、電力消費が高いという短所があった。
【０００５】
従来のヒートパイプを用いたラジエーターは、上記した前者と後者の熱源を用い、ヒートパイプのヒーター発熱部を加熱する方法で用いられるが、環境汚染及びエネルギー過多消費の原因となる。
【０００６】
また、複数個のヒートパイプを集結させ、熱を発散しなければならないので、原材料と生産原価が過多に消費されるという問題点があった。
【０００７】
また、上記したヒートパイプラジエーターは、最大の短所が、金属の微細組織により内部真空が消尽（喪失）した場合、ラジエーターの熱発散効率が著しく落ち、長期間の使用後は、暖房装置としてこれ以上使用できないという問題点があった。
【０００８】
本出願人による特許文献１（発明の名称：ヒートパイプ暖房装置）に開示された暖房は、床及び壁体の暖房装置であって、一定地域の空間に埋め込まれる形態で設けられるので、移動できない暖房装置であって、電鉄、汽車、自動車のように移動手段の室内空間には設置が不可能であるという短所があり、既存の建物の再施工への設置施工費が過多にかかるという難しさがあった。
【０００９】
すなわち、移動が可能であり、空間へのセットが容易であり、ヒートパイプの再真空を有利に行え、別途の室内空間の暖房を極大化するための暖房装置が必要な実状であった。
【先行技術文献】
【特許文献】
【００１０】
【特許文献１】韓国登録特許第１０−１１２５３２３号公報
【発明の概要】
【発明が解決しようとする課題】
【００１１】
本発明は、上記問題点に鑑みなされたものであり、その目的は、真空が維持されたヒートパイプから発散する熱をヒートパイプが設置される体積に比例して極大化させ、各室内暖房はもとより、人々が着席する地下鉄の椅子、家庭のソファ等に適用し、効率的な暖房効果の提供とともに、ヒートパイプの真空状態を再調整し、半永久的に使用可能にした真空らせん状のヒートパイプを用いた暖房用のラジエーター暖房装置を提供することにある。
【課題を解決するための手段】
【００１２】
上述した目的を達成するために、本発明によると、ラジエーター暖房装置において、前記暖房装置は、外部流入空気を誘導する空気通孔が設けられた下部支え台と、熱媒体が内蔵される中空のパイプとして、上下部が一直線状に位置し、その間はコイルばね状のらせん状熱交換部が一体で形成され、らせん状熱交換部の外側周囲に複数個の円形放熱板が密着して結合され、上端部には真空圧調節弁が設けられ、下端部にはヒーター発熱部が内蔵設置され、下部支え台に、相互密接して立設される第１のヒートパイプ及び第２のヒートパイプと、第１のヒートパイプのらせんの内側に放熱板から熱伝導されるように外側周囲が密着して設置され、下部に外部空気の流入のためのブロワーが設けられた第１の放熱管と、第２のヒートパイプのらせんの内側に放熱板から熱伝導されるように外側周囲が密着して設置され、外側周囲の一側には複数個の熱放出ノズルが形成された第２の放熱管と、前記第１の放熱管及び第２の放熱管の上部がＵ字状に連結され、第１の放熱管から第２の放熱管に暖める空気を移動させる継ぎ手管と、前記下部支え台の上部に第１のヒートパイプ、第２のヒートパイプを取り囲んで保護する形態で結合され、外側周囲には、放熱面積を広げるための三角断面の複数個の空気接触突起が形成されるとともに、一側に前記第２の放熱管の熱放出ノズルから放出される熱を外部に放出させるための吐出孔が設けられた外形ケースと、前記外形ケースの上部に脱着可能に設けられる蓋と、で構成されることを特徴とする。
【００１３】
また、本発明による前記暖房装置は、熱媒体が内蔵される中空のパイプとして、上下部が一直線状に位置し、その間はコイルばね状のらせん状熱交換部が一体で形成され、らせん状熱交換部の外側周囲に複数個の円形放熱板が密着して結合され、上端部には真空圧調節弁が設けられ、下端部にはヒーター発熱部が内蔵設置されたヒートパイプと、下部は密閉され、上部は開放され、外側周囲には、放熱面積を広げるための三角断面の複数個の空気接触突起が形成されるとともに、前記ヒートパイプの外側を取り囲む形態で、前後組み合わせられる前面ケース及び後面ケースと、前記前面ケース及び後面ケースの上端部から脱着可能に設置され、その上部は、椅子用シートの下部に連設され、複数個の熱放出孔が形成された連結フランジと、で構成されることを特徴とする。
【発明の効果】
【００１４】
本発明によれば、真空らせん状のヒートパイプを用いたラジエーター暖房装置は、らせん状の第１、２のヒートパイプ及び第１、２のヒートパイプのらせん内側を通過し、継ぎ手管で連結された第１、２の放熱管を通じて、熱発散を暖房装置のケースの体積の範囲内で、使用エネルギーは顕著に節減するとともに、暖房効率は、最大限極大化させることにより、別途の暖房施設が設けられないトイレ、警備室、小規模作業場等のような室内暖房として有用に移動させて用い、または一例として移動手段となる電鉄、汽車、バス、自動車等に適用された固定式椅子シートの下部に適用するとき、室内暖房はもとより、シート暖房にも効果的な使用が可能である。
【図面の簡単な説明】
【００１５】
【図１】本発明によるラジエーター暖房装置を示した縦断面図である。
【図２】図１の暖房装置の横断面図である。
【図３】図１における暖房装置の第１のヒートパイプ及び第２のヒートパイプを示した抜粋正面図である。
【図４】本発明による一実施例のラジエーター暖房装置を示した縦断面図である。
【図５】図４における暖房装置の横断面図である。
【図６】図４における暖房装置のヒートパイプを示した抜粋正面図である。
【図７】本発明によるヒートパイプに適用される真空圧調節弁を示した分離斜視図である。
【図８】本発明によるヒートパイプに適用される真空圧調節弁の螺合の再真空方式を示した拡大断面図である。
【図９】本発明によるヒートパイプに適用される一実施例の真空圧調節弁は、カプラー結合方式の再真空方式を示した拡大断面図である。
【図１０】本発明によるヒートパイプに適用されるまた他の実施例の真空圧調節弁を示した抜粋拡大断面図である。
【図１１】本発明によるヒートパイプに適用設置されるヒーター発熱部を示した抜粋断面図である。
【発明を実施するための形態】
【００１６】
以下、添付した図面に基づき、本発明の好適な実施例について詳述する。
【００１７】
本発明は、ラジエーター暖房装置において、前記暖房装置１００は、図１乃至図３に示すように、外部流入空気を誘導する空気通孔が設けられた下部支え台１１０と、熱媒体が内蔵される中空のパイプとして、上下部が一直線状に位置し、その間はコイルばね状のらせん状熱交換部１０が一体で形成され、らせん状熱交換部の外側周囲に複数個の円形放熱板１２が密着して結合され、上端部には真空圧調節弁２０が設けられ、下端部にはヒーター発熱部３０が内蔵設置され、下部支え台１１０に、相互密接して立設される第１のヒートパイプ１２０Ａ及び第２のヒートパイプ１２０Ｂと、第１のヒートパイプ１２０Ａのらせんの内側に放熱板１２から熱伝導されるように外側周囲が密着して設置され、下部に外部空気の流入のためのブロワー４０が設けられた第１の放熱管１３０と、第２のヒートパイプ１２０Ｂのらせんの内側に放熱板１２から熱伝導されるように外側周囲が密着して設置され、外側周囲の一側には複数個の熱放出ノズル５０が形成された第２の放熱管１４０と、前記第１の放熱管１３０及び第２の放熱管１４０の上部がＵ字状に連結され、第１の放熱管１３０から第２の放熱管１４０に暖める空気を移動させる継ぎ手管１５０と、前記下部支え台１１０の上部に第１のヒートパイプ１２０Ａ、第２のヒートパイプ１２０Ｂを取り囲んで保護する形態で結合され、外側周囲には、放熱面積を広げるための三角断面の複数個の空気接触突起６０が形成されるとともに、一側に前記第２の放熱管１４０の熱放出ノズル５０から放出される熱を外部に放出させるための吐出孔６２が設けられた外形ケース１６０と、前記外形ケース１６０の上部に脱着可能に設けられる蓋１７０と、で構成される。
【００１８】
前記継ぎ手管１５０は、第１の放熱管１３０及び第２の放熱管１４０の直径よりも小さく形成され、第１の放熱管から第２の放熱管へ暖める空気を、流速を有して移動させることが好ましい。
【００１９】
一方、本発明によるまた他の前記暖房装置１００は、熱媒体が内蔵される中空のパイプとして、上下部が一直線状に位置し、その間はコイルばね状のらせん状熱交換部１０が一体で形成され、らせん状熱交換部１０の外側周囲に複数個の円形放熱板１２が密着して結合され、上端部には真空圧調節弁２０が設けられ、下端部にはヒーター発熱部３０が内蔵設置されたヒートパイプ１２０Ｃと、下部は密閉され、上部は開放され、外側周囲には、放熱面積を広げるための三角断面の複数個の空気接触突起６０が形成されるとともに、前記ヒートパイプ１２０Ｃの外側を取り囲む形態で、前後組み合わせられる前面ケース１６０Ａ及び後面ケース１６０Ｂと、前記前面ケース１６０Ａ及び後面ケース１６０Ｂの上端部から脱着可能に設置され、その上部は、椅子用シートＳの下部に連設され、複数個の熱放出孔８０が形成された連結フランジ１８０と、で構成される。
【００２０】
上述した暖房装置において、前記第１のヒートパイプ１２０Ａ、第２のヒートパイプ１２０Ｂ、ヒートパイプ１２０に適用される前記真空圧調節弁２０を、図７乃至図１０に示す。
【００２１】
図７及び図８に示した真空圧調節弁２０は、前記第１のヒートパイプ１２０Ａ、第２のヒートパイプ１２０Ｂ、ヒートパイプ１２０Ｃの終端から一側が挿入される挿入部２１ａが形成されるとともに、前記挿入部２１ａ  と  ヒートパイプの  外側端部は溶接され、中央にばね定着溝２１ｂ及びばね定着溝の中央に通孔２１ｃが形成され、外側周囲に雄螺子部２１ｄが形成され、一側には、Ｏリング支持段２１ｅが突設された連結管体２１と、前記連結管体２１の通孔２１ｃに一側が案内され、他側には、Ｏリング挿入溝２２ａ及びばね支持段２２ｂが外側周囲に形成され、一側中央には、雌螺子部２２ｃが形成されたピストン２２と、前記ピストン２２のばね支持段２２ｂと連結管体２１のばね定着溝２１ｂに支持され、ピストン２２に弾性を与える圧縮ばね２３と、前記連結管体２１の雄螺子部２１ｄに締め付けられる雌螺子部２４ａ及び雌螺子部の一側にＯリング挿入溝２４ｂが形成され、中央内側には、前記ピストン２２を支持するための傾斜孔２４ｃ及び傾斜孔から通孔２４ｄが形成され、ピストン２２を収容する固定キャップ２４と、前記固定キャップ２４の通孔２４ｄを通じて、ピストン２２の雌螺子部２２ｃに締め付けられ、ヒートパイプの内部に形成した真空圧を調節するための螺子棒２５と、前記螺子棒２５に締め付けられ、真空気密状態を維持するナット２６と、前記固定キャップ２４及びピストン２２のＯリング挿入溝２２ａに案内設置されるＯリング２７と、で構成される。
【００２２】
また、本発明によるまた他の実施例の前記真空圧調節弁２０は、図１０に示すように、第１のヒートパイプ１２０Ａ、第２のヒートパイプ１２０Ｂ、ヒートパイプ１２０の終端から一側が挿入される挿入部２１ｆが形成されるとともに、挿入部２１ｆからヒートパイプに  挿入された外側端部は溶接され、挿入部の反対側の外側周囲には雄螺子部２１ｇが形成され、中央には通孔２１ｈ及び通孔から拡張されて延長されるピストン収容孔２１ｉが形成され、ピストン収容孔２１ｉの一側にはＯリング案内溝２１ｊが形成され、外側周囲の長さ方向には、ヒートパイプ１２０の内部に形成させた真空圧を、前記通孔２１ｈを通じて調節するための真空圧排出管２１ｋが形成された連結管体２１’と、前記連結管体２１’のピストン収容孔２１ｉに案内され、一側に通孔２１ｈを遮断するためのパッキング２２ｃが設けられ、パッキングが設けられた反対側には雄螺子部２２ｄが形成されたピストン２２’と、前記連結管体２１’の一側おいて、ピストン２２’の雄螺子部２２ｄを貫通してピストン２２’を収容するカバー２８と、前記カバー２８の外側周囲を通じて、連結管体２１’の雄螺子部２１ｇに締め付けられる固定キャップ２４’と、前記ピストン２２の雄螺子部２２ｄの一側に結合され、ピストン収容孔２１ｉからピストン２２’を摺動調節するためのハンドル２９と、前記連結管体２１’のＯリング案内溝２１ｊに挿入され、ピストン２２’の外側を気密するＯリング２７’と、で構成される。
【００２３】
参考として、上記した暖房装置において、第１のヒートパイプ、第２のヒートパイプ、ヒートパイプのヒーター発熱部、ブロワーは、別途に装置の外部に設けられたコントロール部、及びコントロール部と連結される電源供給コードを用い、または固定式で配置される暖房装置は、電気配線に配線されて運用されるようにする。
【００２４】
また、前記第１のヒートパイプ、第２のヒートパイプ、ヒートパイプ内に充填される熱媒体は、蒸留水または蒸留水と混合物を充填させて熱媒体として用いられ、その他、氷点が低く、熱伝導の速い物質であれば、全て可能であり、各ヒートパイプ内に充填される熱媒体は、ヒートパイプの内部の体積に対して１５％〜２０％だけ満たされ、加熱されるようにする。
【００２５】
一方、図１１に示すように、前記ヒーター発熱部３０は、第１のヒートパイプ１２０Ａ及び第２のヒートパイプ１２０Ｂ、ヒートパイプ１２０Ｃの終端に棒状ヒーター３２の挿入のための同素材のヒーター挿入口３１が案内されて溶接設置され、前記ヒーター挿入口３１の端部側は、結束バンド３３で、挿入された棒状ヒーター３２を固定する。
【００２６】
以下、このように構成された本発明の真空らせん状のヒートパイプを用いた暖房用ラジエーター暖房装置の作用について説明する。
【００２７】
先ず、本発明による暖房装置は、暖房を要する室内空間の必要とする位置に移動させて使用し、または固定された据え置き型で使用するものであり、図１に示すように、第１のヒートパイプ１２０Ａ、第２のヒートパイプ１２０Ｂのヒーター発熱部３０を加熱させる。
【００２８】
前記第１のヒートパイプ１２０Ａ、第２のヒートパイプ１２０Ｂに充填された熱媒体の加熱は、真空を維持しているので、第１のヒートパイプ及び第２のヒートパイプの下部から真空圧調節弁２０が位置した上層へ気体化した熱媒体が移動され、これは、主にらせん状をなす熱交換部１０から熱が集中的に拡散しながら発生するようになる。
【００２９】
熱媒体の加熱は、スチームのように、気体で熱交換部１０を加熱しながら移動し、水に還元され、下端部に再度降り、ヒーター発熱部３０を通じて再加熱される繰返し現象において、熱交換部１０を高温に加熱する。
【００３０】
上記のように第１のヒートパイプ１２０Ａ、第２のヒートパイプ１２０Ｂは、らせん状に形成されているので、暖房装置１００をなす外形ケース１６０の内部の体積において、発熱空間を最大限に極大化するらせん状に熱発散が行われるが、外側周囲に結合された複数個の円形放熱板１２から熱を放出させるようになる。
【００３１】
これは、前記第１のヒートパイプ１２０Ａ、第２のヒートパイプ１２０Ｂの円形放熱板１２と接触した外形ケース１６０に熱を伝導させ、外形ケース１６０は、その外側周囲に三角断面を有する複数個の空気接触突起６０が形成されており、図１及び図２に示した矢印（隠線で表示する）方向のように、外形ケース１６０に熱伝導され、外部に放出される熱は、室内の空気を暖め、暖房が行われる。
【００３２】
一方、前記第１のヒートパイプ１２０Ａのらせんの内径側に軸設置された第１の放熱管１３０は、その下部に設けられたブロワー４０を通じて、室内側の外部空気を下部支え台１１０側の空気通孔１１から強制流入させ、これは、前記ブロワー４０から外部空気が上昇しながら、前記第１のヒートパイプ１２０Ａで発生する熱が伝導され、熱風に転換させ、第１の放熱管１３０の上部側の継ぎ手管１５０を通じて、第２の放熱管１４０に熱風を誘導して流れを提供する。
【００３３】
このような状態で、第１の放熱管１３０と第２の放熱管１４０を連結する継ぎ手管１５０は、第１の放熱管１３０及び第２の放熱管１４０の直径よりも小さな直径であり、より高速に熱を移動させることができ、第２のヒートパイプ１２０Ｂから熱を伝導される第２の放熱管１４０の内部に流入した熱風は、流入され、最終的に熱放出ノズル５０を通じて、前記外形ケース１６０側の吐出孔６２から直接熱を室内側に吐き出し、暖房可能にする。
【００３４】
すなわち、第１のヒートパイプ１２０Ａ、第２のヒートパイプ１２０Ｂの接触加熱による外形ケース及び第１の放熱管１３０、継ぎ手管１５０、第２の放熱管１４０を通じた熱風の吐出は、前記ヒートパイプ１２０Ａ、第２のヒートパイプ１２０Ｂの真空が維持された状態で、高速で高温に発熱させ、室内温度を迅速に暖房可能にする。
【００３５】
一方、本発明による一実施例の暖房装置１００は、図４に示すように、ヒートパイプ１２０Ｃのヒーター発熱部３０を通じた加熱、円形放熱板１２を通じた熱拡散は、前面ケース１６０Ａ、後面ケース１６０Ｂ内において行われ、前面ケース、後面ケースの外側周囲に複数個の三角断面を有する空気接触突起６０から熱の外部放出が行われ、室内暖房が行われる。
【００３６】
また、前記ヒートパイプ１２０Ｃと円形放熱板１２を通じて、前面ケース１６０Ａ、後面ケース１６０Ｂの内部において拡散する熱は上昇し、これは、前記前面ケース、後面ケースに連結され、椅子用シートＳに連結された連結フランジ１８０側の熱放出孔８０を通じてシートを暖めることができる。
【００３７】
結局として、室内暖房と一緒に、熱の対流現象によるシートを暖めることができるので、上記のようなタイプは、電鉄、汽車、自動車、またはソファのような椅子シートの暖房に最適に用いることができる。
【００３８】
一方、上述した二つのタイプの暖房装置において、第１のヒートパイプ１２０Ａ、第２のヒートパイプＢ、及びヒートパイプ１２０Ｃに適用された真空圧調節弁２０は、図７及び図８に示すように、長時間の暖房装置の使用により、第１のヒートパイプ、第２のヒートパイプ、及びヒートパイプの内部真空度が低下し、暖房効率が低くなることを勘案し、真空圧を再調整することにより、最初と同じ真空度を維持することにより、真空度低下により暖房効率が落ちることを防ぐことができる。
【００３９】
先ず、移動式タイプの暖房装置１００（図１に該当する）は、外形ケース１６０の上部に設けられた蓋１７０を分離解体した状態で、そのまま露出する真空圧調節弁２０を調整し、図４における前面ケース１６０Ａ、後面ケース１６０Ｂに適用された据え置き式タイプの暖房装置１００は、前記椅子用シートＳと連結フランジ１８０を解体し、または真空圧調節弁２０の設置位置によっては、前面ケースを後面ケース側から分離した後、真空圧調節弁を調整し、ヒートパイプの熱伝導性を回復させて使用する。
【００４０】
図８に示す真空圧調節弁２０の真空圧の調節は、真空圧調節弁２０を構成するナット２６をある程度緩め、螺子棒２５を締め付けて加圧すると、連結管体２１内のピストン２２ががたつく程度に、ヒートパイプ１２０の内部の真空圧を調節可能になる。
【００４１】
前記真空圧調節弁２０を構成している固定キャップ２４を前記連結管体２１から外して解体すると、連結管体２１の内部に設けられたピストン２２、圧縮ばね２３、及びＯリング２７を分離することができるので、このような構成要素の交替が容易であるという利点があり、このような点は、暖房装置１００の使用上によるメンテナンス費用、及び部品の交替による費用を顕著に節減することができる利点を有する。
【００４２】
また、図９に示した真空圧調節弁２０は、上記のように、真空圧を調整する例は同一であるが、但し、このタイプは、カプラータイプとして、再真空作業を行うとき、容易に脱着可能にしたものである。
【００４３】
一方、図１０に示した真空圧調節弁２０は、一実施例を示すものであり、ピストン２２’側の雄螺子２１ｇをハンドル２９を回し、連結管体２１’の通孔２１ｈの遮断程度を調節し、真空圧排出管２１ｋを通じて真空圧を調整可能なものであり、これもまた、固定キャップ２４’を連結管体２１’から完全に分離すると、カバー２８を含むピントン２２’，２２側のパッキング２２ｃ及びＯリング２７’のうち、該当する部品を容易に交替可能になる。
【００４４】
したがって、本発明によるラジエーター暖房装置は、らせん状になるヒートパイプを用いた熱拡散放出効果を極大化し、移動手段となる電動車、自動車または据え置き式椅子のようなシートを暖めることができ、冬季に椅子に着席しても、温かみを提供するとともに、室内の効率的な暖房を具現することができる。
【００４５】
以上、本発明の権利は、上述した実施例に限らず、請求の範囲の記載内容により定義され、本発明の技術の分野における通常の知識を有する者が、請求の範囲に記載の権利範囲内において多様に実施可能であることは自明である。
【図１】
2016519754.tif 000003
【図２】
2016519754.tif 000004
【図３】
2016519754.tif 000005
【図４】
2016519754.tif 000006
【図５】
2016519754.tif 000007
【図６】
2016519754.tif 000008
【図７】
2016519754.tif 000009
【図８】
2016519754.tif 000010
【図９】
2016519754.tif 000011
【図１０】
2016519754.tif 000012
【図１１】
2016519754.tif 000013
【手続補正書】
【提出日】平成27年12月15日(2015.12.15)
【手続補正１】
【補正対象書類名】図面
【補正対象項目名】全図
【補正方法】変更
【補正の内容】
【図１】
2016519754.tif 000014
【図２】
2016519754.tif 000015
【図３】
2016519754.tif 000016
【図４】
2016519754.tif 000017
【図５】
2016519754.tif 000018
【図６】
2016519754.tif 000019
【図７】
2016519754.tif 000020
【図８】
2016519754.tif 000021
【図９】
2016519754.tif 000022
【図１０】
2016519754.tif 000023
【図１１】
2016519754.tif 000024
【国際調査報告】
2016519754.tif 000025
2016519754.tif 000026
2016519754.tif 000027
2016519754.tif 000028